(57)【要約】      （修正有）【課題】ランプホルダーと、導光柱均一照度とを含む均一照度を有する灯具を提供する。【解決手段】ランプホルダー１は、コネクタ１１と、コネクタ１１に設ける放熱具１２と、放熱具１２に設ける発光ダイオード１３とを含む、導光柱２上下の表面はそれぞれ反射層２１と、光源入射面２２を有し、導光柱２側面周りの表面にて、投射面２３を画定していて、導光柱２は投射面２３にて複数の屈折面２４を凹設することによって、複数の屈折面２４より光線に屈折及び拡散効果を提供する。これにより、光線を導光柱２の側面周りから均一に拡散して外部に投射し、灯具の側面光の照度の均一性及び輝度を大幅に向上し、美観性を向上できると共に、簡単に製造できる。【選択図】  図３
0003197828.tif 000002
【実用新案登録請求の範囲】
【請求項１】
均一照度を有する灯具であって、
コネクタと、放熱具と、発光ダイオードとを含む前記放熱具を前記コネクタに設け、前記発光ダイオードを前記放熱具取り付けるランプホルダーと、
上下の表面にそれぞれ反射層と光源入射面を設け、前記反射層の周りと前記光源入射面の周りとの間に位置し隣設面に投射面を画定していて、前記投射面にて複数の屈折面を凹設し、前記複数の屈折面によって、光線の屈折及び拡散働きを提供する導光柱とを含み、
前記発光ダイオードより出射する光線を前記光源入射面から前記反射層に投射した上、前記投射面と前記複数の屈折面に反射させ、光線を前記導光柱の周りから均一に拡散し投射するように構成したことを特徴とする、均一照度を有する灯具。
【請求項２】
均一照度を有する灯具であって、
それぞれコネクタと、放熱具と、発光ダイオードとを含む前記放熱具を前記コネクタに設け、前記発光ダイオードを前記放熱具取り付けるランプホルダーと、
上下の表面にそれぞれ反射層と、光源入射面を設け、前記２つの光源入射面の周りとの間に位置し隣設面に投射面を画定していて、前記投射面にて複数の屈折面を凹設し、前記複数の屈折面によって、光線の屈折及び拡散働きを提供する導光柱とを含み、
前記発光ダイオードより出射する光線を前記複数の屈折面に反射させ、光線を前記導光柱の周りから均一に拡散し投射するように構成したことを特徴とする、均一照度を有する灯具。
【考案の詳細な説明】
【技術分野】
【０００１】
本考案は特に、発光ダイオードを光源とするムード用灯具に適用し、側面光照度の均一性及び輝度を向上する均一照度を有する灯具に関する。
【背景技術】
【０００２】
現在は様々な使用の需要に応えるため、各種の伝統灯具は発光効率と使用寿命の向上を図るため、発光ダイオードを大量に発光光源として採用している。公知の灯具の構造は発光ダイオードをランプホルダーに取り付けてから、ランプホルダーの上方に透光性のランプシェードを被せて置き、発光ダイオードより出射する光源を上向きに投射させ、光源をランプシェード表面に投射し、透光の効果によって、ランプシェードの図案を表現すると共に、発光ダイオードの発光色を変化させて様々なムード効果を形成する。
【考案の概要】
【考案が解決しようとする課題】
【０００３】
しかし、発光ダイオードの発光範囲は限られているため、発光ダイオードの光線を上向きに投射させた場合、発光区域はランプシェードの上方に集中される一方、ランプシェードの側面光に暗区を形成されるか、または不均一照度を形成され、伝統灯具のように特色の表現はできなく、美観性を欠ける。
【課題を解決するための手段】
【０００４】
本考案は、灯具の側面光照度の均一性及び輝度と合わせて、美観性を向上すると共に、より簡単に製造できることを目的とする。
【０００５】
前述目的を達成するため、本考案の均一照度を有する灯具は、ランプホルダーと、導光柱とを含む。ランプホルダーは、コネクタと、放熱具と、発光ダイオードとを含む。放熱具をコネクタに取付け、発光ダイオードを放熱具に取付けることによって、発光ダイオードの発光によって形成する熱エネルギーを放熱具に伝達させて放熱することができる。導光柱上下の表面にそれぞれ反射層と、光源入射面を設け、導光柱によって、反射層の周りと光源入射面の周りとの間に位置し隣設面に投射面を画定していて、導光柱は投射面にて複数の屈折面を凹設し、複数の屈折面によって、光線の屈折及び拡散働きを提供する。これにより、発光ダイオードより出射する光線は光源入射面から反射層に投射してから、再び投射面と複数の屈折面に反射させて、光線を導光柱の側面周りから均一に拡散させて外部に投射させることによって、本考案の目的を達成し、灯具側面光照度の均一性と輝度を向上し、美観性を有すると共に、簡単に製造できる。
【図面の簡単な説明】
【０００６】
【図１】本考案の第１の好ましい実施例の立面図である。
【図２】本考案の第１の好ましい実施例の正面図である。
【図３】本考案の第１の好ましい実施例における光線の投射状態を示す図である。
【図４】本考案の第１の好ましい実施例における光源入射面に屈折面を設ける態様図である。
【図５】本考案の第２の好ましい実施例の正面図である。
【図６】本考案の第３の実施例の立面図である。
【図７】本考案の第４の好ましい実施例の断面図である。
【考案を実施するための形態】
【０００７】
以下、添付図面を参照して本考案の実施の形態を詳細に説明する。
【実施例】
【０００８】
図１ないし３を参照する。本考案の好ましい実施例において、均一照度を有する灯具１０はランプホルダー１と、導光柱２とを含む。そのうち、
【０００９】
ランプホルダー１は、コネクタ１１と、放熱具１２と、発光ダイオード１３とを含む。放熱具１２は一体型に成形していて、かつ周りに複数の放熱フィンを延設し、放熱具１２をコネクタ１１の上に設け、発光ダイオード１３を放熱具１２の上に設けて、発光ダイオード１３の発光によって形成する熱エネルギーを直接に放熱具１２に伝達させて放熱する。
【００１０】
導光柱２上下の表面はそれぞれに反射層２１と光源入射面２２を設けられ、反射層２１は例えばスパッタリング加工によって金属に付着させて、鏡面効果を形成する。そのうち、導光柱２は例えば円柱体、多辺形柱体、花びら形柱体、らせん曲面柱体または不規則形の柱体などを形成しても良い。導光柱２は反射層２１周りと光源入射面２２周りとの間に位置し隣設面に投射面２３を画定していて、かつ導光柱２は投射面２３にて複数の屈折面２４凹設する。複数の屈折面２４は例えば弧面状、ダイヤモンドカット面状または不規則な曲面状などを形成して、屈折面２４を光線に屈折及び拡散目的を提供する。このほか、複数の屈折面２４をドット状に配列することによって、導光柱２側面周りに粗地表面が形成される。ランプホルダー１と、導光柱２を組み合わせるときは、導光柱２を直接にランプホルダー１の放熱具１２に取り付けて、導光柱２の光源入射面２２をランプホルダー１と発光ダイオード１３とを向き合わせる。
【００１１】
前述のように、本考案を使用するとき、発光ダイオード１３より出射する光線を直接に導光柱２の光源入射面２２から反射層２１に投射し、引き続き、反射層２１より投射面２３と屈折面２４に反射され、一部の光線は投射面２３から外部へ直接に投射され、もう一部分の光線は複数の屈折面２４に投射して屈折及び拡散効果を発生し、再び導光柱２側面周りから均一に外部へ拡散し投射される。これにより、本考案の灯具１０は導光柱２側面光源照度の均一性及び輝度を大幅に向上させ、灯具１０に美観性を有する発光ムードが形成される。
【００１２】
引き続き、図４を参照する。図に示す灯具１０の導光柱２は例えば、光源入射面２２にて、発光ダイオード１３と向き合う屈折面２２１を凹設するなど、発光ダイオード１３より出射する光線をまず屈折面２２１に投射して一次屈折してから、反射層２１に投射した後、屈折面２４に反射させて二次屈折を行わせて、より良い拡散効果を達成し、灯具１０側面光源照度の均一性及び輝度をさらに良くできる。
【００１３】
引き続き、図５と図６本考案の好ましい実施例において、導光柱（３、４）の異なる実施例を参照する。
【００１４】
図５に示す第２の好ましい実施例において、灯具２０はランプホルダー１と導光柱３とを含む。本実施例において、ランプホルダー１の構造は、第１の好ましい実施例に同じ、導光柱３は円柱体を実施し、導光柱３の上部表面にある反射層３１は、導光柱３の側面周りに投射面３２を画定していて、かつ導光柱３は投射面３２の位置をめぐらして屈折面３３を凹設されている。屈折面３３は弧面状、ダイヤモンドカット面状または不規則な曲面状などを形成し、屈折面３３によって光線に屈折及び拡散働きを形成する。屈折面３３の繞設形態は複数リング状に配列、らせん状、または不規則な線型などを形成しても良い。導光柱３は多辺形柱体、花びら形柱体、らせん曲面柱体あるいは不規則な柱体などであっても良い。図３と図５を合わせて参照する。組み立てするときは導光柱３をランプホルダー１の放熱具１２上に取り付け、ランプホルダー１の発光ダイオード１３を導光柱３と向き合わせることで組み立てを完成する。
【００１５】
図６に示す第３の好ましい実施例において、灯具３０はランプホルダー１と導光柱４とを含む。本実施例において、ランプホルダー１の構造は、第１の好ましい実施例に同じ、導光柱４は多辺形柱体を実施し、導光柱４の上部表面に設ける反射層４１によって、導光柱４側面周りにて投射面４２を画定していて、かつ導光柱４は投射面４２にてドット状に配列された複数の屈折面４３を凹設されている。複数の屈折面４３は例えば、弧面状、ダイヤモンドカット面状または不規則な曲面状などを設けて、屈折面４３に光線の屈折及び拡散働きを形成させる。屈折面４３をめぐらせて、例えば、複数リング状に配列、らせん状または不規則な線型などであっても良い。導光柱４は例えば、円柱体、花びら形柱体、らせん曲面柱体または不規則な柱体などであっても良い。図３と図６を合わせて参照する。組み立てするときは導光柱４をランプホルダー１の放熱具１２上に取り付け、ランプホルダー１の発光ダイオード１３を導光柱３と向き合わせることで組み立てを完成する。
【００１６】
引き続き、図３ないし図６を参照する。第２実施例と第３実施例による灯具（２０、３０）を使用するとき、発光ダイオード１３より出射する光線は直接に導光柱（３、４）の底面から反射層（３１、４１）に投射してから、反射層（３１、４１）より投射面（３２、４２）及び屈折面（３３、４３）に反射し、一部分の光線は投射面（３２、４２）から外部へ直接に投射され、もう一部分の光線は複数の屈折面（３３、４３）に投射して、屈折及び拡散効果を形成することによって、光線が屈折及び拡散効果を形成した後、均一に導光柱（３、４）側面周りより外部へ拡散し投射される。これにより、灯具（２０、３０）は導光柱（３、４）側面光源照度の均一性及び輝度を大幅に向上でき、美観性を有すると共に製造が便利である。
【００１７】
図７を参照する。本考案の第４の好ましい実施例において、均一照度を有する灯具５０はランプホルダー５と、導光柱６とを含む。そのうち、
【００１８】
ランプホルダー５はコネクタ５１と、放熱具５２と、発光ダイオード５３とを含む。放熱具５２をコネクタ５１に設け、発光ダイオード５３を放熱具５２に設ける。
【００１９】
導光柱６の上部表面はそれぞれに光源入射面６１を設け、光源入射面６１にて屈折面６１１を凹設し、導光柱は２つの光源入射面６１周りの間の隣設面にて、投射面６２を画定し、導光柱６は投射面６２にて複数の屈折面６３を凹設していて、複数の屈折面６３によって、光線に屈折及び拡散効果を提供される。
【００２０】
ランプホルダー５をそれぞれ導光柱６の光源入射面６１の側面に位置することによって、発光ダイオード５３をそれぞれ屈折面６１１と向き合わせる。同じく、発光ダイオード５３より出射する光線は、導光柱６の光源入射面６１から複数の屈折面６３に投射して、屈折及び拡散効果を形成し、再び導光柱２側面周りから均一に外部へ拡散し投射する。これにより、灯具５０は導光柱６側面光源照度の均一性及び輝度を大幅に向上できる。
【符号の説明】
【００２１】
１０、２０、３０、５０    灯具
１、５                                    ランプホルダー
１１、５１                            コネクタ
１２、５２                            放熱具
１３、５３                            発光ダイオード
２、３、４、６                    導光柱
２１、３１、４１                反射層
２２、６１                            光源入射面
２２１、６１１                    屈折面
２３、３２、４２、６２    投射面
２４、３３、４３、６３    屈折面
【図１】
0003197828.tif 000003
【図２】
0003197828.tif 000004
【図３】
0003197828.tif 000005
【図４】
0003197828.tif 000006
【図５】
0003197828.tif 000007
【図６】
0003197828.tif 000008
【図７】
0003197828.tif 000009